(57)【要約】  本開示の一態様に係るユーザ端末は、チャネル状態情報（ＣＳＩ：Channel  State  Information）報告設定情報を受信する受信部と、前記ＣＳＩ報告設定情報に基づいて、複数のＣＳＩタイプのＣＳＩ報告を制御する制御部と、を有することを特徴とする。本開示の一態様によれば、適切にビーム障害を検出できる。
2020059146.tif 000002
【特許請求の範囲】
【請求項１】
チャネル状態情報（ＣＳＩ：Channel  State  Information）報告設定情報を受信する受信部と、
前記ＣＳＩ報告設定情報に基づいて、複数のＣＳＩタイプのＣＳＩ報告を制御する制御部と、を有することを特徴とするユーザ端末。
【請求項２】
前記制御部は、上位レイヤシグナリングに基づいて、前記ＣＳＩタイプに関する測定のための参照信号リソースに対応する送受信ポイントを特定することを特徴とする請求項１に記載のユーザ端末。
【請求項３】
前記ＣＳＩ報告設定情報又は前記ＣＳＩ報告設定情報に対応するＣＳＩリソース設定情報は、チャネル測定のためのリソース情報及び干渉測定のためのリソース情報の少なくとも１つを複数含み、当該複数含まれる情報は、それぞれ異なる送受信ポイントに関連付けられることを特徴とする請求項１又は請求項２に記載のユーザ端末。
【請求項４】
前記制御部は、第１の送受信ポイントのための干渉測定リソースが、第２の送受信ポイントのための信号測定リソースと同じリソースエレメントとして設定されると想定することを特徴とする請求項１から請求項３のいずれかに記載のユーザ端末。
【請求項５】
前記制御部は、第１の送受信ポイントのための送受信ポイント間干渉を、第２の送受信ポイントのための信号測定リソースを用いたチャネル測定に基づいて導出することを特徴とする請求項１から請求項４のいずれかに記載のユーザ端末。
【請求項６】
チャネル状態情報（ＣＳＩ：Channel  State  Information）報告設定情報を受信するステップと、
前記ＣＳＩ報告設定情報に基づいて、複数のＣＳＩタイプのＣＳＩ報告を制御するステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。【０００４】
既存のＬＴＥシステム（ＬＴＥ  Ｒｅｌ．８−１４）では、ユーザ端末（ＵＥ：User  Equipment）が所定の参照信号を測定し、基地局に対してチャネル状態情報（ＣＳＩ：Channel  State  Information）を送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）では、複数の送受信ポイント（ＴＲＰ：Transmission/Reception  Point）（マルチＴＲＰ）又は複数のパネル（マルチパネル）がそれぞれノンコヒーレントな送信をＵＥに対して行うことが検討されている。【０００７】
マルチＴＲＰ／マルチパネルシナリオにおいては、動的なスケジューリングのために、複数のＣＳＩタイプが報告されることが求められる。ＣＳＩタイプによって、報告する情報種別、サイズなどが異なってもよい。【０００８】
しかしながら、これまで検討されたＮＲ仕様に従うと、ＵＥが異なるＴＲＰ（又はパネル）からのＲＳに基づく異なるＣＳＩタイプのＣＳＩ報告を適切なタイミングで送信できず、通信スループットが低下するおそれがある。【０００９】
そこで、本開示は、複数のＴＲＰ又はパネルが用いられる場合であっても、複数のＣＳＩタイプのＣＳＩ報告を適切に実施できるユーザ端末及び無線通信方法を提供することを目的の１つとする。
【課題を解決するための手段】
【００１０】
本開示の一態様に係るユーザ端末は、チャネル状態情報（ＣＳＩ：Channel  State  Information）報告設定情報を受信する受信部と、前記ＣＳＩ報告設定情報に基づいて、複数のＣＳＩタイプのＣＳＩ報告を制御する制御部と、を有することを特徴とする。
【発明の効果】
【００１１】
本開示の一態様によれば、複数のＴＲＰ又はパネルが用いられる場合であっても、複数のＣＳＩタイプのＣＳＩ報告を適切に実施できる。
【図面の簡単な説明】
【００１２】
【図１】図１Ａ及び１Ｂは、ＣＳＩ報告設定及びＣＳＩリソース設定に関するＲＲＣ情報要素の一例を示す図である。
【図２】図２Ａ及び２Ｂは、ＮＺＰ  ＣＳＩ−ＲＳリソースセット及びＣＳＩ−ＳＳＢリソースセットに関するＲＲＣ情報要素の一例を示す図である。
【図３】図３は、ＴＣＩ状態に関するＲＲＣ情報要素の一例を示す図である。
【図４】図４Ａ−４Ｄは、マルチＴＲＰシナリオにおけるＣＳＩフィードバックの一例を示す図である。
【図５】図５Ａ及び５Ｂは、ＣＳＩ−ＲＳとパネルとの対応関係に関するＲＲＣパラメータの一例を示す図である。
【図６】図６Ａ及び６Ｂは、複数のＣＳＩセットを設定できるＣＳＩ報告設定に関するＲＲＣ情報要素の一例を示す図である。
【図７】図７は、複数のＣＳＩセットを設定できるＣＳＩリソース設定に関するＲＲＣ情報要素の第１の例を示す図である。
【図８】図８は、複数のＣＳＩセットを設定できるＣＳＩリソース設定に関するＲＲＣ情報要素の第２の例を示す図である。
【図９】図９は、複数のＣＳＩセットを設定できるＣＳＩリソース設定に関するＲＲＣ情報要素の第３の例を示す図である。
【図１０】図１０Ａ及び１０Ｂは、ＴＲＰ間干渉測定のための設定の一例を示す図である。
【図１１】図１１は、一実施形態に係る無線通信システムの概略構成の一例を示す図である。
【図１２】図１２は、一実施形態に係る基地局の構成の一例を示す図である。
【図１３】図１３は、一実施形態に係るユーザ端末の構成の一例を示す図である。
【図１４】図１４は、一実施形態に係る基地局及びユーザ端末のハードウェア構成の一例を示す図である。
【発明を実施するための形態】
【００１３】
（ＣＳＩ）
ＮＲにおいては、ＵＥは、所定の参照信号（又は、当該参照信号用のリソース）を用いてチャネル状態を測定し、チャネル状態情報（ＣＳＩ：Channel  State  Information）を基地局にフィードバック（報告）する。
【００１４】
ＵＥは、チャネル状態情報参照信号（ＣＳＩ−ＲＳ：Channel  State  Information  Reference  Signal）、同期信号／ブロードキャストチャネル（ＳＳ／ＰＢＣＨ：Synchronization  Signal/Physical  Broadcast  Channel）ブロック、同期信号（ＳＳ：Synchronization  Signal）、復調用参照信号（ＤＭＲＳ：DeModulation  Reference  Signal）などを用いて、チャネル状態を測定してもよい。
【００１５】
ＣＳＩ−ＲＳリソースは、ノンゼロパワー（ＮＺＰ：Non  Zero  Power）ＣＳＩ−ＲＳリソース、ゼロパワー（ＺＰ：Zero  Power）ＣＳＩ−ＲＳリソース及びＣＳＩ−ＩＭ（Interference  Measurement）リソースの少なくとも１つを含んでもよい。
【００１６】
ＣＳＩのための信号成分を測定するためのリソースは、信号測定リソース（ＳＭＲ：Signal  Measurement  Resource）と呼ばれてもよい。ＳＭＲは、例えば、チャネル測定のためのＮＺＰ  ＣＳＩ−ＲＳリソース、ＳＳＢなどを含んでもよい。
【００１７】
ＣＳＩのための干渉成分を測定するためのリソースは、干渉測定リソース（ＩＭＲ：Signal  Measurement  Resource）と呼ばれてもよい。ＩＭＲは、例えば、干渉測定のためのＮＺＰ  ＣＳＩ−ＲＳリソース、ＳＳＢ、ＺＰ  ＣＳＩ−ＲＳリソース及びＣＳＩ−ＩＭリソースの少なくとも１つを含んでもよい。
【００１８】
ＳＳ／ＰＢＣＨブロックは、同期信号（例えば、プライマリ同期信号（ＰＳＳ：Primary  Synchronization  Signal）、セカンダリ同期信号（ＳＳＳ：Secondary  Synchronization  Signal））及びＰＢＣＨ（及び対応するＤＭＲＳ）を含むブロックであり、ＳＳブロック（ＳＳＢ）などと呼ばれてもよい。
【００１９】
なお、ＣＳＩは、チャネル品質指標（ＣＱＩ：Channel  Quality  Indicator）、プリコーディング行列指標（ＰＭＩ：Precoding  Matrix  Indicator）、ＣＳＩ−ＲＳリソース指標（ＣＲＩ：CSI-RS  Resource  Indicator）、ＳＳ／ＰＢＣＨブロックリソース指標（ＳＳＢＲＩ：SS/PBCH  Block  Indicator）、レイヤ指標（ＬＩ：Layer  Indicator）、ランク指標（ＲＩ：Rank  Indicator）、Ｌ１−ＲＳＲＰ（レイヤ１における参照信号受信電力（Layer  1  Reference  Signal  Received  Power））、Ｌ１−ＲＳＲＱ（Reference  Signal  Received  Quality）、Ｌ１−ＳＩＮＲ（Signal  to  Interference  plus  Noise  Ratio）、Ｌ１−ＳＮＲ（Signal  to  Noise  Ratio）などの少なくとも１つを含んでもよい。
【００２０】
ＣＳＩは、複数のパートを有してもよい。ＣＳＩパート１は、相対的にビット数の少ない情報（例えば、ＲＩ）を含んでもよい。ＣＳＩパート２は、ＣＳＩパート１に基づいて定まる情報などの、相対的にビット数の多い情報（例えば、ＣＱＩ）を含んでもよい。
【００２１】
また、ＣＳＩは、いくつかのＣＳＩタイプに分類されてもよい。ＣＳＩタイプによって、報告する情報種別、サイズなどが異なってもよい。例えば、シングルビームを利用した通信を行うために設定されるＣＳＩタイプ（タイプ１（type  I）  ＣＳＩ、シングルビーム用ＣＳＩなどとも呼ぶ）と、マルチビームを利用した通信を行うために設定されるＣＳＩタイプ（タイプ２（type  II）  ＣＳＩ、マルチビーム用ＣＳＩなどとも呼ぶ）と、が規定されてもよい。ＣＳＩタイプの利用用途はこれに限られない。
【００２２】
ビーム管理（beam  manegement）のために報告される測定結果（例えば、ＣＳＩ）は、ビーム測定（beam  measurement）、ビーム測定結果、ビーム測定レポート（beam  measurement  report）などと呼ばれてもよい。
【００２３】
ＣＳＩのフィードバック方法としては、周期的なＣＳＩ（Ｐ−ＣＳＩ：Periodic  CSI）報告、非周期的なＣＳＩ（Ａ−ＣＳＩ：Aperiodic  CSI）報告、セミパーシステントなＣＳＩ（ＳＰ−ＣＳＩ：Semi-Persistent  CSI）報告などが検討されている。
【００２４】
ＵＥは、ＣＳＩ測定設定情報を、上位レイヤシグナリング、物理レイヤシグナリング又はこれらの組み合わせを用いて通知されてもよい。
【００２５】
本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２６】
ＭＡＣシグナリングは、例えば、ＭＡＣ制御要素（ＭＡＣ  ＣＥ（Control  Element））、ＭＡＣ  ＰＤＵ（Protocol  Data  Unit）であってもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２７】
物理レイヤシグナリングは、例えば、下り制御情報（ＤＣＩ：Downlink  Control  Information）であってもよい。
【００２８】
ＣＳＩ測定設定情報は、例えば、ＲＲＣ情報要素「CSI-MeasConfig」を用いて設定されてもよい。ＣＳＩ測定設定情報は、ＣＳＩリソース設定情報（ＲＲＣ情報要素「CSI-ResourceConfig」）、ＣＳＩ報告設定情報（ＲＲＣ情報要素「CSI-ReportConfig」）などを含んでもよい。
【００２９】
図１Ａ及び１Ｂは、ＣＳＩ報告設定及びＣＳＩリソース設定に関するＲＲＣ情報要素の一例を示す図である。本例では、情報要素に含まれるフィールド（パラメータと呼ばれてもよい）の抜粋が示されている。図１Ａ及び１Ｂは、ＡＳＮ．１（Abstract  Syntax  Notation  One）記法を用いて記載されている。なお、本開示の他のＲＲＣ情報要素（又はＲＲＣパラメータ）に関する図面も、同様の記法で記載される。
【００３０】
図１Ａに示すように、ＣＳＩ報告設定情報（「CSI-ReportConfig」）は、チャネル測定用リソース情報（「resourcesForChannelMeasurement」）を含む。また、ＣＳＩ報告設定情報は、干渉測定用ＮＺＰ  ＣＳＩ−ＲＳリソース情報（「nzp-CSI-RS-ResourcesForInterference」）、干渉測定用ＣＳＩ−ＩＭリソース情報（「csi-IM-ResourcesForInterference」）なども含んでもよい。これらのリソース情報は、ＣＳＩリソース設定情報のＩＤ（Identifier）（「CSI-ResourceConfigId」）に対応している。
【００３１】
なお、各リソース情報に対応するＣＳＩリソース設定情報のＩＤ（ＣＳＩリソース設定ＩＤと呼ばれてもよい）は、それぞれ異なる値であってもよい。
【００３２】
図１Ｂに示すように、ＣＳＩリソース設定情報（「CSI-ResourceConfig」）は、ＣＳＩリソース設定情報ＩＤ、ＣＳＩ−ＲＳリソースセットリスト情報（「csi-RS-ResourceSetList」）などを含んでもよい。ＣＳＩ−ＲＳリソースセットリストは、測定のためのＮＺＰ  ＣＳＩ−ＲＳ及びＳＳＢの情報（「nzp-CSI-RS-SSB」）と、ＣＳＩ−ＩＭリソースセットリスト情報（「csi-IM-ResourceSetList」）と、を含む。
【００３３】
なお、チャネル測定用リソースは、例えば、ＣＱＩ、ＰＭＩ、Ｌ１−ＲＳＲＰなどの算出に用いられてもよい。また、干渉測定用リソースは、Ｌ１−ＳＩＮＲ、Ｌ１−ＳＮＲ、Ｌ１−ＲＳＲＱ、その他の干渉に関する指標の算出に用いられてもよい。
【００３４】
干渉測定がＣＳＩ−ＩＭで行われる場合、チャネル測定用の各ＣＳＩ−ＲＳは、対応するリソースセットにおけるＣＳＩ−ＲＳリソース及びＣＳＩ−ＩＭリソースの順番に基づいて、リソースの観点からＣＳＩ−ＩＭリソースと関連付けられてもよい。
【００３５】
「nzp-CSI-RS-SSB」は、ＮＺＰ  ＣＳＩ−ＲＳリソースセットリスト情報（「nzp-CSI-RS-ResourceSetList」）及びＣＳＩ測定のためのＳＳＢリソースセットリスト情報（「csi-SSB-ResourceSetList」）を含んでもよい。これらのリスト情報は、それぞれ１つ以上のＮＺＰ  ＣＳＩ−ＲＳリソースセットＩＤ（「CSI-ResourceConfigId」）及びＣＳＩ−ＳＳＢリソースセットＩＤ（「CSI-SSB-ResourceSetId」）に対応しており、測定対象のリソースを特定するために用いられてもよい。
【００３６】
図２Ａ及び２Ｂは、ＮＺＰ  ＣＳＩ−ＲＳリソースセット及びＣＳＩ−ＳＳＢリソースセットに関するＲＲＣ情報要素の一例を示す図である。
【００３７】
図２Ａに示すように、ＮＺＰ  ＣＳＩ−ＲＳリソースセット情報（「NZP-CSI-RS-ResourceSet」）は、ＮＺＰ  ＣＳＩ−ＲＳリソースセットＩＤと、１つ以上のＮＺＰ  ＣＳＩ−ＲＳリソースＩＤ（「NZP-CSI-RS-ResourceId」）と、を含む。ＮＺＰ  ＣＳＩ−ＲＳリソース情報（「NZP-CSI-RS-Resource」）は、ＮＺＰ  ＣＳＩ−ＲＳリソースＩＤと、送信設定指示状態（ＴＣＩ状態（Transmission  Configuration  Indication  state））のＩＤ（「TCI-stateId」）と、を含んでもよい。ＴＣＩ状態については後述する。
【００３８】
図２Ｂに示すように、ＣＳＩ−ＳＳＢリソースセット情報（「CSI-SSB-ResourceSet」）は、ＣＳＩ−ＳＳＢリソースセットＩＤと、１つ以上のＳＳＢインデックス情報（「SSB-Index」）と、を含む。ＳＳＢインデックス情報は、例えば０以上６３以下の整数であって、ＳＳバースト内のＳＳＢを識別するために用いられてもよい。
【００３９】
（ＱＣＬ／ＴＣＩ）
ＮＲでは、ＴＣＩ状態に基づいて、信号及びチャネルの少なくとも一方（信号／チャネルと表現する）の受信処理（例えば、受信、デマッピング、復調、復号の少なくとも１つ）を制御することが検討されている。
【００４０】
ＴＣＩ状態とは、チャネル又は信号の疑似コロケーション（ＱＣＬ：Quasi-Co-Location）に関する情報であり、空間受信パラメータ、空間関係情報（spatial  relation  info）などとも呼ばれてもよい。ＴＣＩ状態は、チャネルごと又は信号ごとにＵＥに設定されてもよい。ＵＥは、チャネルのＴＣＩ状態に基づいて、当該チャネルの送信ビーム（Ｔｘビーム）及び受信ビーム（Ｒｘビーム）の少なくとも１つを決定してもよい。
【００４１】
ＱＣＬとは、信号／チャネルの統計的性質を示す指標である。例えば、ある信号／チャネルと他の信号／チャネルがＱＣＬの関係である場合、これらの異なる複数の信号／チャネル間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００４２】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００４３】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延、
・ＱＣＬタイプＤ：空間受信パラメータ。
【００４４】
ＴＣＩ状態は、例えば、対象となるチャネル（又は当該チャネル用の参照信号（ＲＳ：Reference  Signal））と、別の信号（例えば、別の下り参照信号（ＤＬ−ＲＳ：Downlink  Reference  Signal））とのＱＣＬに関する情報であってもよい。ＴＣＩ状態は、上位レイヤシグナリング、物理レイヤシグナリング又はこれらの組み合わせによって設定（指示）されてもよい。
【００４５】
ＴＣＩ状態が設定（指定）されるチャネルは、例えば、下り共有チャネル（ＰＤＳＣＨ：Physical  Downlink  Shared  Channel）、下り制御チャネル（ＰＤＣＣＨ：Physical  Downlink  Control  Channel）、上り共有チャネル（ＰＵＳＣＨ：Physical  Uplink  Shared  Channel）、上り制御チャネル（ＰＵＣＣＨ：Physical  Uplink  Control  Channel）の少なくとも１つであってもよい。
【００４６】
また、当該チャネルとＱＣＬ関係となるＲＳは、例えば、ＳＳＢ、ＣＳＩ−ＲＳ及び測定用参照信号（ＳＲＳ：Sounding  Reference  Signal）の少なくとも１つであってもよい。
【００４７】
図３は、ＴＣＩ状態に関するＲＲＣ情報要素の一例を示す図である。
【００４８】
図３に示すように、ＴＣＩ状態情報（「TCI-State」）は、ＴＣＩ状態ＩＤと、１つ以上のＱＣＬ情報（「QCL-Info」）と、を含んでもよい。ＱＣＬ情報は、ＱＣＬ関係となるＤＬ−ＲＳに関する情報（ＲＳ関連情報（「referenceSignal」））及びＱＣＬタイプを示す情報（ＱＣＬタイプ情報（「qcl-Type」））の少なくとも１つを含んでもよい。ＲＳ関連情報は、ＲＳのインデックス（例えば、ＮＺＰ  ＣＳＩ−ＲＳリソースＩＤ、ＳＳＢインデックス）、サービングセルのインデックス、ＲＳが位置するＢＷＰ（Bandwidth  Part）のインデックスなどの情報を含んでもよい。
【００４９】
（マルチＴＲＰ／マルチパネル）
ＮＲでは、複数の送受信ポイント（ＴＲＰ：Transmission/Reception  Point）（マルチＴＲＰ）又は複数のパネル（マルチパネル）がそれぞれノンコヒーレントなＤＬ（例えば、ＰＤＳＣＨ）送信を行うことが検討されている。
【００５０】
マルチＴＲＰ／マルチパネルシナリオにおいては、動的なスケジューリングのために、複数のＣＳＩタイプが報告されることが求められる。図４Ａ−４Ｄは、マルチＴＲＰシナリオにおけるＣＳＩフィードバックの一例を示す図である。本例では、ＴＲＰ１及び２が、それぞれ４つのビームを用いてＵＥに対する送信を行うことができる。
【００５１】
図４Ａの場合、ＵＥは、ＴＲＰ１からのビーム１が信号成分（Ｓ）であり、ＴＲＰ２からのビーム５が干渉成分（Ｉ）に含まれる干渉測定結果（例えば、ＳＩＮＲ）を算出し、ＣＳＩフィードバックしてもよい。
【００５２】
図４Ｂの場合、ＵＥは、ＴＲＰ１からのビーム１が信号成分（Ｓ）であり、ＴＲＰ２からのビーム６が干渉成分（Ｉ）に含まれる干渉測定結果を算出し、ＣＳＩフィードバックしてもよい。
【００５３】
図４Ｃの場合、ＵＥは、ＴＲＰ２からのビーム８が信号成分（Ｓ）であり、ＴＲＰ１からのビーム２が干渉成分（Ｉ）に含まれる干渉測定結果を算出し、ＣＳＩフィードバックしてもよい。
【００５４】
図４Ｄの場合、ＵＥは、ＴＲＰ２からのビーム８が信号成分（Ｓ）であり、ＴＲＰ１からのビーム１が干渉成分（Ｉ）に含まれる干渉測定結果を算出し、ＣＳＩフィードバックしてもよい。
【００５５】
このように、ＵＥが、１つのＣＳＩ報告で、異なるＴＲＰ（又はパネル）からの異なるビームに基づく信号測定（チャネル測定）、隣接するＴＲＰ（又はパネル）からの異なるビームに基づく干渉測定などを報告できると好ましい。
【００５６】
しかしながら、これまで検討されたＮＲ仕様においては、ＵＥは、１つのＣＳＩ報告のために設定されるチャネル測定用ＮＺＰ  ＣＳＩ−ＲＳリソースと、干渉測定用ＮＺＰ  ＣＳＩ−ＲＳ又はＣＳＩ−ＩＭリソースと、がリソースの観点からＱＣＬである（「ＱＣＬタイプＤ」に該当する）（resource-wise  QCLed  with  respect  to  ‘QCL-TypeD’）と想定してもよいことになっている。
【００５７】
つまり、これまでのＮＲ仕様では、同じＴＲＰ（又はパネル）からのＲＳに基づくＣＳＩタイプのＣＳＩ報告設定しかサポートされていない。したがって、これまでのＮＲ仕様を用いると、ＵＥが異なるＴＲＰ（又はパネル）からのＲＳに基づく異なるＣＳＩタイプのＣＳＩ報告を適切なタイミングで送信できず、通信スループットが低下するおそれがある。
【００５８】
そこで、本発明者らは、複数のＴＲＰ（又はパネル）に関して、複数のＣＳＩタイプのＣＳＩ報告を好適に実施するための設定方法を着想した。
【００５９】
以下、本開示に係る実施形態について、図面を参照して詳細に説明する。各実施形態に係る無線通信方法は、それぞれ単独で適用されてもよいし、組み合わせて適用されてもよい。
【００６０】
なお、本開示の説明において、ＴＲＰ、コードワード、参照信号リソース、参照信号のアンテナポート、アンテナポートグループ、所定のチャネル（例えば、ＰＤＳＣＨ）、ビーム、パネル（アンテナパネル）、複数のアンテナ素子などは、互いに読み替えられてもよい。ここで、参照信号は、例えばＤＭＲＳであってもよい。ある文章のＴＲＰがパネルで読み替えられ、別の文章のＴＲＰがコードワードで読み替えられるなどしてもよい。
【００６１】
（無線通信方法）
＜第１の実施形態＞
第１の実施形態において、ＵＥは、１つのＣＳＩ報告設定（ＲＲＣ情報要素「CSI-reportConfig」）に、複数のＴＲＰに関連する１つ又は複数のＣＳＩセットを含んでもよい。つまり、各セット（各セットのＲＳ）は、それぞれ異なるＴＲＰに対応してもよい。１つのＣＳＩセットは、１つ以上のＣＳＩタイプを含んでもよい。なお、ＣＳＩセットは、ＣＳＩ測定（又はチャネル測定又は干渉測定）のためのＲＳのセットで読み替えられてもよい。
【００６２】
測定対象の各ＲＳ（ＣＳＩ−ＲＳ、ＳＳＢなど）が、ＴＲＰに関連付けられてもよい。例えば、図４Ａ−４Ｄのビーム１を用いて送信されるＣＳＩ−ＲＳは、ＴＲＰ１に関連付けられてＵＥに設定され、ビーム８を用いて送信されるＣＳＩ−ＲＳは、ＴＲＰ２に関連付けられてＵＥに設定されてもよい。この構成によれば、異なるＴＲＰの信号成分（Ｓ）を好適に測定できる。ＵＥは、複数のＣＳＩセットの設定に基づいて、１つ又は複数のＣＳＩタイプを基地局に報告してもよい。
【００６３】
［ＲＳとパネルとの対応関係の設定］
チャネル測定又は干渉測定のためのＲＳ（例えば、ＣＳＩ−ＲＳ、ＳＳＢ）とＴＲＰとの対応関係は、上位レイヤシグナリング（例えば、ＲＲＣシグナリング、ＭＡＣシグナリング）を用いてＵＥに設定されてもよい。
【００６４】
例えば、ＣＳＩ−ＲＳとＴＲＰとの対応関係は、ＴＣＩ状態ごとに設定されてもよいし、ＮＺＰ  ＣＳＩ−ＲＳごとに設定されてもよいし、ＮＺＰ  ＣＳＩ−ＲＳのセットごとに設定されてもよい。つまり、ＣＳＩ−ＲＳとＴＲＰとの対応関係の情報は、以下の少なくとも１つに含まれてＵＥに設定されてもよい：
・ＴＣＩ状態情報（「TCI-State」）又はＱＣＬ情報（「QCL-Info」）、
・ＮＺＰ  ＣＳＩ−ＲＳリソース情報（「NZP-CSI-RS-Resource」）、
・ＮＺＰ  ＣＳＩ−ＲＳリソースセット情報（「NZP-CSI-RS-ResourceSet」）。
【００６５】
例えば、ＳＳＢとＴＲＰとの対応関係は、ＳＳＢごとに設定されてもよいし、ＳＳＢのセットごとに設定されてもよい。つまり、ＳＳＢとＴＲＰとの対応関係は、以下の少なくとも１つを用いてＵＥに設定されてもよい：
・ＳＳＢインデックス情報（「SSB-Index」）、
・ＣＳＩ−ＳＳＢリソースセット情報（「CSI-SSB-ResourceSet」）。
【００６６】
図５Ａ及び５Ｂは、ＣＳＩ−ＲＳとＴＲＰとの対応関係に関するＲＲＣパラメータの一例を示す図である。本例では、ＴＲＰはＤＭＲＳポートグループに対応付けられていると想定する。
【００６７】
図５Ａは、ＣＳＩ−ＲＳとＴＲＰとの対応関係の情報が、ＮＺＰ  ＣＳＩ−ＲＳリソース情報（「NZP-CSI-RS-Resource」）に含まれる例を示す。図５Ａは、このＣＳＩ−ＲＳリソースに対応するＤＭＲＳポートグループの情報として、ＤＭＲＳポートグループＩＤ（「DMRSPortGroup-ID」）を含んでいる点で、図２Ａの既存のＮＺＰ  ＣＳＩ−ＲＳリソース情報と異なる。
【００６８】
図５Ｂは、ＣＳＩ−ＲＳとＴＲＰとの対応関係の情報が、ＮＺＰ  ＣＳＩ−ＲＳリソースセット情報（「NZP-CSI-RS-ResourceSet」）に含まれる例を示す。図５Ｂは、このＣＳＩ−ＲＳリソースセットに対応するＤＭＲＳポートグループの情報として、ＤＭＲＳポートグループＩＤ（「DMRSPortGroup-ID」）を含んでいる点で、図２Ａの既存のＮＺＰ  ＣＳＩ−ＲＳリソースセット情報と異なる。
【００６９】
なお、ＤＭＲＳポートグループＩＤの代わりに又は当該ＩＤとともに、ＴＲＰ、コードワード、アンテナポート、所定のチャネル、ビーム及びパネルの少なくとも１つに関するＩＤが、上述のいずれかのＲＲＣ情報要素に含まれてもよい。また、ＲＳ（例えば、ＣＳＩ−ＲＳ、ＳＳＢ）とＴＲＰとの対応関係は、上述のＲＲＣ情報要素以外のＲＲＣ情報要素又はパラメータに含まれて設定されてもよい。
【００７０】
［複数のＣＳＩセットのための設定］
それぞれＴＲＰに対応するＲＳを示す複数のＣＳＩセットは、上位レイヤシグナリング（例えば、ＲＲＣシグナリング、ＭＡＣシグナリング）を用いてＵＥに設定されてもよい。
【００７１】
例えば、複数のＣＳＩセットは、以下の少なくとも１つに従って設定されてもよい：
（１）チャネル測定用リソース情報（「resourcesForChannelMeasurement」）、干渉測定用ＮＺＰ  ＣＳＩ−ＲＳリソース情報（「nzp-CSI-RS-ResourcesForInterference」）及び干渉測定用ＣＳＩ−ＩＭリソース情報（「csi-IM-ResourcesForInterference」）の少なくとも１つ（又はこれらの少なくとも１つを含むセット）が、ＣＳＩ報告設定情報（「CSI-ReportConfig」）において複数設定される、
（２）ＣＳＩ−ＲＳリソースセットリスト情報（「csi-RS-ResourceSetList」）（又は当該情報を含むセット）が、ＣＳＩリソース設定情報（「CSI-ResourceConfig」）において複数設定される、
（３）測定のためのＮＺＰ  ＣＳＩ−ＲＳ及びＳＳＢの情報（「nzp-CSI-RS-SSB」）及びＣＳＩ−ＩＭリソースセットリスト情報（「csi-IM-ResourceSetList」）の少なくとも１つ（又はこれらの少なくとも１つを含むセット）が、ＣＳＩリソース設定情報（「CSI-ResourceConfig」）において複数設定される、
（４）ＮＺＰ  ＣＳＩ−ＲＳリソースセットリスト情報（「nzp-CSI-RS-ResourceSetList」）、ＣＳＩ測定のためのＳＳＢリソースセットリスト情報（「csi-SSB-ResourceSetList」）及びＣＳＩ−ＩＭリソースセットリスト情報（「csi-IM-ResourceSetList」）の少なくとも１つ（又はこれらの少なくとも１つを含むセット）が、ＣＳＩリソース設定情報（「CSI-ResourceConfig」）において複数設定される。
【００７２】
上記（１）−（４）の設定のシグナリング構成について、それぞれ図６−９を参照して説明する。なお、いずれの構成についても、ＣＳＩ−ＲＳ又はＳＳＢとパネルとの対応関係は上述したように設定されてよい。
【００７３】
図６Ａ及び６Ｂは、複数のＣＳＩセットを設定できるＣＳＩ報告設定に関するＲＲＣ情報要素の一例を示す図である。
【００７４】
図６Ａは、ＣＳＩ報告設定情報（「CSI-ReportConfig」）に２セットのチャネル測定用リソース情報（「resourcesForChannelMeasurement」）が含まれる例を示す。図６Ａは、１つ目のチャネル測定用リソース情報（「resourcesForChannelMeasurement」）に加えて、２つ目のチャネル測定用リソース情報（「resourcesForChannelMeasurement-R16」）を含んでいる点で、図１Ａの既存のＣＳＩ報告設定情報と異なる。
【００７５】
なお、「-R16」又は「-r16」は３ＧＰＰ  Ｒｅｌ．１６によって規定される（利用される）フィールド又はパラメータであることを意味しているが、フィールド名、パラメータ名、規定されるリリースなどは、この例に限定されない。
【００７６】
２つ目のチャネル測定用リソース情報も、ＣＳＩリソース設定ＩＤに対応している。本例に示す「CSI-ResourceConfigId-r16」は、「CSI-ResourceConfigId」と同じ値の範囲を取り得ると規定されてもよいし、異なる値の範囲を取り得ると規定されてもよい。
【００７７】
１つのＣＳＩリソース設定情報（「CSI-ResourceConfig」）において設定される全てのＲＳは、同じパネルに関連してもよい。一方で、１つ目のチャネル測定用リソース情報に対応するＣＳＩリソース設定情報において設定されるＲＳは、２つ目のチャネル測定用リソース情報に対応するＣＳＩリソース設定情報において設定されるＲＳと異なるパネルに関連してもよい。
【００７８】
図６Ｂは、ＣＳＩ報告設定情報（「CSI-ReportConfig」）に２セットのチャネル測定用リソース情報（「resourcesForChannelMeasurement」）及び干渉測定用ＣＳＩ−ＩＭリソース情報（「csi-IM-ResourcesForInterference」）が含まれる例を示す。図６Ｂは、１つ目の干渉測定用ＣＳＩ−ＩＭリソース情報（「csi-IM-ResourcesForInterference」）に加えて、２つ目の干渉測定用ＣＳＩ−ＩＭリソース情報（「csi-IM-ResourcesForInterference-R16」）を含んでいる点で、図６ＡのＣＳＩ報告設定情報と異なる。
【００７９】
１つのＣＳＩリソース設定情報（「CSI-ResourceConfig」）において設定される全てのＲＳは、同じパネルに関連してもよい。一方で、１つ目の干渉測定用ＣＳＩ−ＩＭリソース情報に対応するＣＳＩリソース設定情報において設定されるＲＳ又はＩＭリソースは、２つ目の干渉測定用ＣＳＩ−ＩＭリソース情報に対応するＣＳＩリソース設定情報において設定されるＲＳ又はＩＭリソースと異なるパネルに関連してもよい。
【００８０】
なお、同じ３ＧＰＰリリースに対応するパラメータに対応するＣＳＩリソース設定情報において設定されるＲＳ又はＩＭリソースは、同じパネルに関連してもよい。例えば、「resourcesForChannelMeasurement-R16」及び「csi-IM-ResourcesForInterference-R16」に対応するＣＳＩリソース設定情報において設定されるＲＳ又はＩＭリソースは、同じパネルに関連してもよい。
【００８１】
図７は、複数のＣＳＩセットを設定できるＣＳＩリソース設定に関するＲＲＣ情報要素の第１の例を示す図である。図７は、ＣＳＩリソース設定情報（「CSI- ResourceConfig」）に２セットのＣＳＩ−ＲＳリソースセットリスト情報（「csi-RS-ResourceSetList」）が含まれる例を示す。図７は、１つ目のＣＳＩ−ＲＳリソースセットリスト情報（「csi-RS-ResourceSetList」）に加えて、２つ目のＣＳＩ−ＲＳリソースセットリスト情報（「csi-RS-ResourceSetList-R16」）を含んでいる点で、図１Ｂの既存のＣＳＩリソース設定情報と異なる。
【００８２】
２つ目のＣＳＩ−ＲＳリソースセットリスト情報は、１つ目のＣＳＩ−ＲＳリソースセットリスト情報と同じフィールド、パラメータなどを含んでもよい。本例では、２つ目のＣＳＩ−ＲＳリソースセットリスト情報は、３ＧＰＰ  Ｒｅｌ．１６によって規定される（利用される）フィールド又はパラメータによって構成されている。
【００８３】
１つのＣＳＩ−ＲＳリソースセットリスト情報（「csi-RS-ResourceSetList」）において設定される全てのＲＳは、同じパネルに関連してもよい。一方で、１つ目のＣＳＩ−ＲＳリソースセットリスト情報において設定されるＲＳは、２つ目のＣＳＩ−ＲＳリソースセットリスト情報において設定されるＲＳと異なるパネルに関連してもよい。
【００８４】
図８は、複数のＣＳＩセットを設定できるＣＳＩリソース設定に関するＲＲＣ情報要素の第２の例を示す図である。図８は、ＣＳＩリソース設定情報（「CSI- ResourceConfig」）に含まれるＣＳＩ−ＲＳリソースセットリスト情報（「csi-RS-ResourceSetList」）に、２セットのＮＺＰ  ＣＳＩ−ＲＳ及びＳＳＢの情報（「nzp-CSI-RS-SSB」）と、ＣＳＩ−ＩＭリソースセットリスト情報（「csi-IM-ResourceSetList」）と、が含まれる例を示す。
【００８５】
図８は、ＣＳＩ−ＲＳリソースセットリスト情報に、１つ目のセットのＮＺＰ  ＣＳＩ−ＲＳ及びＳＳＢの情報（「nzp-CSI-RS-SSB」）と、ＣＳＩ−ＩＭリソースセットリスト情報（「csi-IM-ResourceSetList」）と、に加えて、２つ目のセットのＮＺＰ  ＣＳＩ−ＲＳ及びＳＳＢの情報（「nzp-CSI-RS-SSB-r16」）と、ＣＳＩ−ＩＭリソースセットリスト情報（「csi-IM-ResourceSetList-16」）と、を含んでいる点で、図１Ｂの既存のＣＳＩリソース設定情報と異なる。
【００８６】
２つ目のセットのＮＺＰ  ＣＳＩ−ＲＳ及びＳＳＢの情報並びにＣＳＩ−ＩＭリソースセットリスト情報は、それぞれ１つ目のセットのＮＺＰ  ＣＳＩ−ＲＳ及びＳＳＢの情報並びにＣＳＩ−ＩＭリソースセットリスト情報と同じフィールド、パラメータなどを含んでもよい。本例では、２つ目のセットは、３ＧＰＰ  Ｒｅｌ．１６によって規定される（利用される）フィールド又はパラメータによって構成されている。
【００８７】
１つのＮＺＰ  ＣＳＩ−ＲＳ及びＳＳＢの情報（「nzp-CSI-RS-SSB」）又はＣＳＩ−ＩＭリソースセットリスト情報（「csi-IM-ResourceSetList」）において設定される全てのＲＳ（又はＩＭ）は、同じパネルに関連してもよい。一方で、１つ目のセットの情報において設定されるＲＳ（又はＩＭ）は、２つ目のセットの情報において設定されるＲＳ（又はＩＭ）と異なるパネルに関連してもよい。
【００８８】
図９は、複数のＣＳＩセットを設定できるＣＳＩリソース設定に関するＲＲＣ情報要素の第３の例を示す図である。図９は、ＣＳＩリソース設定情報（「CSI- ResourceConfig」）に含まれるＮＺＰ  ＣＳＩ−ＲＳ及びＳＳＢの情報（「nzp-CSI-RS-SSB」）に、２セットのＮＺＰ  ＣＳＩ−ＲＳリソースセットリスト情報（「nzp-CSI-RS-ResourceSetList」）及びＣＳＩ測定のためのＳＳＢリソースセットリスト情報（「csi-SSB-ResourceSetList」）が含まれる例を示す。
【００８９】
図９は、ＮＺＰ  ＣＳＩ−ＲＳ及びＳＳＢの情報に、１つ目のセットのＮＺＰ  ＣＳＩ−ＲＳリソースセットリスト情報（「nzp-CSI-RS-ResourceSetList」）及びＣＳＩ測定のためのＳＳＢリソースセットリスト情報（「csi-SSB-ResourceSetList」）に加えて、２つ目のセットのＮＺＰ  ＣＳＩ−ＲＳリソースセットリスト情報（「nzp-CSI-RS-ResourceSetList-r16」）及びＣＳＩ測定のためのＳＳＢリソースセットリスト情報（「csi-SSB-ResourceSetList-r16」）を含んでいる点で、図１Ｂの既存のＣＳＩリソース設定情報と異なる。
【００９０】
２つ目のセットのＮＺＰ  ＣＳＩ−ＲＳリソースセットリスト情報及びＣＳＩ測定のためのＳＳＢリソースセットリスト情報は、それぞれ１つ目のセットのＮＺＰ  ＣＳＩ−ＲＳリソースセットリスト情報及びＣＳＩ測定のためのＳＳＢリソースセットリスト情報と同じフィールド、パラメータなどを含んでもよい。本例では、２つ目のセットは、３ＧＰＰ  Ｒｅｌ．１６によって規定される（利用される）フィールド又はパラメータによって構成されている。
【００９１】
１つのＮＺＰ  ＣＳＩ−ＲＳリソースセットリスト情報又はＣＳＩ測定のためのＳＳＢリソースセットリスト情報において設定される全てのＲＳは、同じパネルに関連してもよい。一方で、１つ目のセットの情報において設定されるＲＳは、２つ目のセットの情報において設定されるＲＳと異なるパネルに関連してもよい。
【００９２】
図７−９のＣＳＩリソース設定情報を用いることによって、チャネル測定用リソース情報、干渉測定用ＮＺＰ  ＣＳＩ−ＲＳリソース情報及び干渉測定用ＣＳＩ−ＩＭリソース情報をそれぞれ高々１つずつしか含むことができない既存のＣＳＩ報告設定情報（図１Ａ）を用いる場合であっても、ＵＥに複数のＣＳＩセットを設定できる。
【００９３】
以上説明した第１の実施形態によれば、ＵＥは、異なるパネルについてのＣＳＩ報告設定又はリソース設定に基づいて、複数のＣＳＩタイプを好適に報告できる。
【００９４】
＜第２の実施形態＞
第２の実施形態は、ＴＲＰ間干渉（inter-TRP  interference）（上述のように、ビーム間干渉、コードワード間干渉、パネル間干渉などで読み替えられてもよい）の測定に関する。
【００９５】
ＵＥは、１つのコードワード（ＴＲＰ、パネルなど）のＣＳＩをある干渉の想定に基づいて算出してもよい。当該想定は、ＴＲＰ間干渉が信号用のリソースエレメント（ＲＥ：Resource  Element）（つまり、ＳＭＲ（ＮＺＰ  ＣＳＩ−ＲＳリソース、ＳＳＢリソースなど））から導出でき、当該ＲＥが、他のＴＲＰからの他のコードワードに対応するという想定であってもよい。
【００９６】
上記干渉の想定のために、例えば、以下の２つの方法の少なくとも１つが利用されてもよい。１つ目の方法は、あるＴＲＰ（ＴＲＰ１と仮定する）のためのＩＭＲを、他のＴＲＰ（ＴＲＰ２と仮定する）のためのＳＭＲと同じＲＥに設定する方法である。２つ目の方法は、ＴＲＰ１のためのＴＲＰ間干渉を、ＴＲＰ２からの他のＳＭＲ及びプリコーディング行列の少なくとも一方から得られるチャネル測定に基づいて導出する方法である。図１０Ａ及び１０Ｂを用いてこれらの方法について説明する。
【００９７】
図１０Ａ及び１０Ｂは、ＴＲＰ間干渉測定のための設定の一例を示す図である。図１０Ａは、図４Ａと同様のマルチＴＲＰシナリオを示しており、ＴＲＰ２のビーム５によって、ＴＲＰ１のビーム１がＴＲＰ間干渉を受けると想定する。また、ＴＲＰ１がビーム１を用いてＣＳＩ−ＲＳ１を送信し、ＴＲＰ２がビーム５を用いてＣＳＩ−ＲＳ５を送信すると想定する。
【００９８】
図１０Ｂは、ＣＳＩ−ＲＳ１及び５のリソースの一例を示す図である。ＣＳＩ−ＲＳ１のリソースと、ＣＳＩ−ＲＳ５のリソースと、は重複しないと想定する。上記ＴＲＰ干渉に対応するＣＳＩは、ＣＳＩ−ＲＳ１のリソースをＳＭＲとするＣＳＩ（以下、単にＣＳＩ１と呼ぶ）に該当する。当該ＣＳＩの干渉成分をどのように算出するか、ということが問題となる。
【００９９】
上述の１つ目の方法では、ＵＥは、ＣＳＩ１のためのＩＭＲを、ＣＳＩ−ＲＳ５のリソースと同じＲＥとして設定されてもよい。つまり、ＵＥは、ＣＳＩ１報告のための、干渉測定用ＮＺＰ  ＣＳＩ−ＲＳリソース情報（「nzp-CSI-RS-ResourcesForInterference」）、干渉測定用ＣＳＩ−ＩＭリソース情報（「csi-IM-ResourcesForInterference」）、ＣＳＩ−ＩＭリソースセットリスト情報（「csi-IM-ResourceSetList」）、ＣＳＩ−ＩＭリソースセット情報（「csi-IM-ResourceSet」）及びＣＳＩ−ＩＭリソース情報（「csi-IM-Resource」）の少なくとも１つにおいて、ＣＳＩ−ＲＳ５のリソースと同じＲＥを設定されてもよい。
【０１００】
この場合、ＣＳＩ１の干渉成分（ＴＲＰ間干渉）は、ＴＲＰ１からのＳＭＲ（ＣＳＩ−ＲＳ１のリソース）を受信するためのビーム又は空間フィルタと同じビーム又は空間フィルタを用いた上記ＩＭＲに基づく干渉測定によって、導出されてもよい。
【０１０１】
上述の２つ目の方法では、ＵＥは、ＣＳＩ―ＲＳ５のリソースに基づいて、チャネル測定を行う。ＵＥは、当該測定結果を、ＣＳＩ１の干渉成分（ＴＲＰ間干渉）として用いてもよい。
【０１０２】
第２の実施形態のＴＲＰ間干渉測定のために、第１の実施形態で述べたＲＲＣ設定が利用されてもよい。
【０１０３】
以上説明した第２の実施形態によれば、ＵＥがＴＲＰ間干渉を適切に測定できる。
【０１０４】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１０５】
図１１は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１０６】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【０１０７】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１０８】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１０９】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１１０】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１１１】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１１２】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１１３】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１１４】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１１５】
ユーザ端末２０は、ＬＴＥ、ＬＴＥ−Ａ、５Ｇなどの通信方式の少なくとも１つに対応した端末であってもよい。
【０１１６】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１１７】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１１８】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１１９】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１２０】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１２１】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１２２】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１２３】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１２４】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１２５】
ＰＵＣＣＨによって、チャネル状態情報（ＣＳＩ：Channel  State  Information）、の送達確認情報（例えば、ＨＡＲＱ−ＡＣＫ（Hybrid  Automatic  Repeat  reQuest）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１２６】
なお、本開示において下りリンク、上りリンクなどは「リンク」を付けずに表現されてもよい。また、各種チャネルの先頭に「物理（Physical）」を付けずに表現されてもよい。
【０１２７】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１２８】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１２９】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１３０】
（基地局）
図１２は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１３１】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１３２】
制御部１１０は、基地局１０全体の制御を実施する。制御部１１０は、本開示に係る技術分野での共通認識に基づいて説明されるコントローラ、制御回路などから構成することができる。
【０１３３】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１３４】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１３５】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１３６】
送受信アンテナ１３０は、本開示に係る技術分野での共通認識に基づいて説明されるアンテナ、例えばアレイアンテナなどから構成することができる。
【０１３７】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１３８】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１３９】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１４０】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１４１】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１４２】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１４３】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１４４】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１４５】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１４６】
なお、本開示における基地局１０の送信部及び受信部は、送受信部１２０、送受信アンテナ１３０及び伝送路インターフェース１４０の少なくとも１つによって構成されてもよい。
【０１４７】
なお、送受信部１２０は、１つ又は複数のＣＳＩ報告設定情報（例えば、ＲＲＣ情報要素「CSI-ReportConfig」）、１つ又は複数のＣＳＩリソース設定情報（例えば、ＲＲＣ情報要素「CSI-ResourceConfig」）などをユーザ端末２０に対して送信してもよい。
【０１４８】
制御部１１０は、１つの上記ＣＳＩ報告設定情報につき、複数のＣＳＩタイプ（シングルビーム用ＣＳＩ、マルチビーム用ＣＳＩなど）のＣＳＩ報告をユーザ端末２０に行わせるように制御してもよい。
【０１４９】
（ユーザ端末）
図１３は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１５０】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１５１】
制御部２１０は、ユーザ端末２０全体の制御を実施する。制御部２１０は、本開示に係る技術分野での共通認識に基づいて説明されるコントローラ、制御回路などから構成することができる。
【０１５２】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１５３】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１５４】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１５５】
送受信アンテナ２３０は、本開示に係る技術分野での共通認識に基づいて説明されるアンテナ、例えばアレイアンテナなどから構成することができる。
【０１５６】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１５７】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１５８】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１５９】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１６０】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１６１】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１６２】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１６３】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１６４】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１６５】
なお、本開示におけるユーザ端末２０の送信部及び受信部は、送受信部２２０、送受信アンテナ２３０及び伝送路インターフェース２４０の少なくとも１つによって構成されてもよい。
【０１６６】
なお、送受信部２２０は、１つ又は複数のＣＳＩ報告設定情報（例えば、ＲＲＣ情報要素「CSI-ReportConfig」）、１つ又は複数のＣＳＩリソース設定情報（例えば、ＲＲＣ情報要素「CSI-ResourceConfig」）などを受信してもよい。
【０１６７】
制御部２１０は、１つの上記ＣＳＩ報告設定情報につき、複数のＣＳＩタイプ（シングルビーム用ＣＳＩ、マルチビーム用ＣＳＩなど）のＣＳＩ報告を制御してもよい。
【０１６８】
制御部２１０は、上位レイヤシグナリング（例えば、上記（１）−（４）の設定のシグナリング構成）に基づいて、前記ＣＳＩタイプに関する測定のための参照信号リソース（ＳＭＲ、ＩＭＲ、ＮＺＰ  ＣＳＩ−ＲＳリソース、ＣＳＩ−ＩＭリソース、ＺＰ  ＣＳＩ−ＲＳリソースなど）に対応する送受信ポイント、パネル、ビーム、コードワード、アンテナポートなどを特定してもよい。
【０１６９】
前記１つのＣＳＩ報告設定情報、又は前記１つのＣＳＩ報告設定情報に対応する１つのＣＳＩリソース設定情報は、チャネル測定のためのリソース情報及び干渉測定のためのリソース情報の少なくとも１つを複数含み、当該複数含まれる情報は、それぞれ異なる送受信ポイントに関連付けられてもよい。
【０１７０】
当該チャネル測定のためのリソース情報は、例えば、チャネル測定用リソース情報（「resourcesForChannelMeasurement」）、ＣＳＩ−ＲＳリソースセットリスト情報（「csi-RS-ResourceSetList」）、ＮＺＰ  ＣＳＩ−ＲＳ及びＳＳＢの情報（「nzp-CSI-RS-SSB」）、ＮＺＰ  ＣＳＩ−ＲＳリソースセットリスト情報（「nzp-CSI-RS-ResourceSetList」）、ＣＳＩ測定のためのＳＳＢリソースセットリスト情報（「csi-SSB-ResourceSetList」）などの少なくとも１つであってもよい。
【０１７１】
当該干渉測定のためのリソース情報は、干渉測定用ＮＺＰ  ＣＳＩ−ＲＳリソース情報（「nzp-CSI-RS-ResourcesForInterference」）、干渉測定用ＣＳＩ−ＩＭリソース情報（「csi-IM-ResourcesForInterference」）、ＣＳＩ−ＲＳリソースセットリスト情報（「csi-RS-ResourceSetList」）、ＣＳＩ−ＩＭリソースセットリスト情報（「csi-IM-ResourceSetList」）などの少なくとも１つであってもよい。
【０１７２】
制御部２１０は、第１の送受信ポイントのための干渉測定リソース（ＩＭＲ）が、第２の送受信ポイントのための信号測定リソース（ＳＭＲ）と同じリソースエレメントとして設定されると想定してもよい。
【０１７３】
制御部２１０は、第１の送受信ポイントのための送受信ポイント間干渉（inter-TRP  interference）を、第２の送受信ポイントのための信号測定リソース（ＳＭＲ）を用いたチャネル測定に基づいて導出してもよい。
【０１７４】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１７５】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１７６】
例えば、本開示の一実施形態における基地局、ユーザ端末などは、本開示の無線通信方法の処理を行うコンピュータとして機能してもよい。図１４は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７７】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１７８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１７９】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１８０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１８１】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１８２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１８３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８４】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１８５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８７】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８８】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８９】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１９０】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１９１】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１９２】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１９３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１９４】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９５】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９６】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１９７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９８】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１９９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２００】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２０１】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２０２】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２０４】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２０５】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２０６】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２０７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２０８】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０９】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１０】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１１】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２１２】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２１３】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２１４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２１５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２１９】
本開示において使用する「システム」及び「ネットワーク」という用語は、互換的に使用され得る。
【０２２０】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２２１】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２２２】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２２３】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２２４】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２２５】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２２６】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２２７】
同様に、本開示におけるユーザ端末は、基地局で読み替えてもよい。この場合、上述のユーザ端末２０が有する機能を基地局１０が有する構成としてもよい。
【０２２８】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２２９】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２３０】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２３１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２３３】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２３４】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２３５】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３６】
また、「判断（決定）」は、「想定する（assuming）」、「期待する（expecting）」、「みなす（considering）」などで読み替えられてもよい。
【０２３７】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２３８】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２３９】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２４０】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２４１】
本開示において、例えば、英語でのa,  an及びtheのように、翻訳によって冠詞が追加された場合、本開示は、これらの冠詞の後に続く名詞が複数形であることを含んでもよい。
【０２４２】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020059146.tif 000003
【図２】
2020059146.tif 000004
【図３】
2020059146.tif 000005
【図４】
2020059146.tif 000006
【図５】
2020059146.tif 000007
【図６】
2020059146.tif 000008
【図７】
2020059146.tif 000009
【図８】
2020059146.tif 000010
【図９】
2020059146.tif 000011
【図１０】
2020059146.tif 000012
【図１１】
2020059146.tif 000013
【図１２】
2020059146.tif 000014
【図１３】
2020059146.tif 000015
【図１４】
2020059146.tif 000016
【国際調査報告】
2020059146.tif 000017
2020059146.tif 000018
2020059146.tif 000019